【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
管理装置と複数のゲーム装置とを含むゲームシステムであって、
前記管理装置は、
メダルの購入者を特定する識別情報と、購入されたメダルの数及び購入金額の情報の少なくとも一方を含む購入情報とを認識する認識部と、
前記購入情報が表す値の大きさにより区分された複数のランクと、前記複数のゲーム装置が提供する複数の種類のゲームとの組合せ毎に、前記ゲーム装置が提供するゲームの内容に関連する特典を記憶する記憶部と、
前記記憶部が記憶する複数の特典から、前記認識部が認識した購入情報に対応するランクに属する複数の特典を特定し、特定した複数の特典と、前記複数のゲームの種類の各々を識別するゲーム識別情報とを１対１に対応付けた特典情報を決定する特典内容決定部と、
前記識別情報と前記特典情報とを関連付けて有効な特典付与対象データとして管理記憶部に記憶させる管理部と、
を具備し、
前記ゲーム装置は、
確認用識別情報の入力を受付ける端末側受付部と、
前記確認用識別情報に一致する識別情報に対応する特典情報を、前記管理装置から取得する特典情報取得部と、
前記特典情報取得部によって取得された特典情報に含まれる複数の特典から、当該ゲーム装置が提供するゲームの種類を表すゲーム識別情報に対応する特典を特定し、当該特定した特典を付与する特典付与部と
を具備する、
ことを特徴とするゲームシステム。
【請求項２】
管理装置と複数のゲーム装置とを含むゲームシステムであって、
前記管理装置は、
メダルの購入者を特定する識別情報と、購入されたメダルの数及び購入金額の情報の少なくとも一方を含む購入情報とを認識する認識部と、
前記購入情報が表す値の大きさにより区分された複数のランクと、前記複数のゲーム装置との組合せ毎に、前記ゲーム装置が提供するゲームの内容に関連する特典を記憶する記憶部と、
前記記憶部が記憶する複数の特典から、前記認識部が認識した購入情報に対応するランクに属する複数の特典を特定し、特定した複数の特典と、前記複数のゲーム装置の各々を識別する装置識別情報とを１対１に対応付けた特典情報を決定する特典内容決定部と、
前記識別情報と前記特典情報とを関連付けて有効な特典付与対象データとして管理記憶部に記憶させる管理部と、
を具備し、
前記ゲーム装置は、
確認用識別情報の入力を受付ける端末側受付部と、
前記確認用識別情報に一致する識別情報に対応する特典情報を、前記管理装置から取得する特典情報取得部と、
前記特典情報取得部によって取得された特典情報に含まれる複数の特典から、当該ゲーム装置を表す装置識別情報に対応する特典を特定し、当該特定した特典を付与する特典付与部と
を具備する、
ことを特徴とするゲームシステム。
【請求項３】
管理装置と複数のゲーム装置とを含むゲームシステムであって、
前記管理装置は、
メダルの購入者を特定する識別情報と、購入されたメダルの数及び購入金額の情報の少なくとも一方を含む購入情報とを認識する認識部と、
前記複数のゲーム装置が提供する複数の種類のゲームの各々の内容に関連する特典を前記複数の種類のゲームの各々について定める特典情報を、前記購入情報に基づいて決定する特典内容決定部と、
前記識別情報と前記特典情報とを関連付けて有効な特典付与対象データとして管理記憶部に記憶させる管理部と、
を具備し、
前記ゲーム装置は、
確認用識別情報の入力を受付ける端末側受付部と、
前記確認用識別情報に一致する識別情報に対応する特典情報を、前記管理装置から取得する特典情報取得部と、
前記特典情報取得部によって取得された特典情報が示す複数の特典のうち当該ゲーム装置が提供するゲームの種類に対応する特典を付与する特典付与部と
を具備する、
ことを特徴とするゲームシステム。
【請求項４】
管理装置と複数のゲーム装置とを含むゲームシステムであって、
前記管理装置は、
メダルの購入者を特定する識別情報と、購入されたメダルの数及び購入金額の情報の少なくとも一方を含む購入情報とを認識する認識部と、
前記ゲーム装置が提供するゲームの内容に関連する特典を前記複数のゲーム装置の各々について定める特典情報を、前記購入情報に基づいて決定する特典内容決定部と、
前記識別情報と前記特典情報とを関連付けて有効な特典付与対象データとして管理記憶部に記憶させる管理部と、
を具備し、
前記ゲーム装置は、
確認用識別情報の入力を受付ける端末側受付部と、
前記確認用識別情報に一致する識別情報に対応する特典情報を、前記管理装置から取得する特典情報取得部と、
前記特典情報取得部によって取得された特典情報が示す複数の特典のうち当該ゲーム装置に対応する特典を付与する特典付与部と
を具備する、
ことを特徴とするゲームシステム。
【請求項５】
前記管理部は、
前記特典付与部によって特典が付与された場合に、
当該特典に対応する特典付与対象データを、前記管理記憶部において無効化する、
ことを特徴とする請求項１乃至４のいずれか一項に記載のゲームシステム。
【請求項６】
前記認識部が、既に特典情報と関連付けられた有効な特典付与対象データとして前記管理記憶部に記憶されている識別情報と、同一の識別情報を認識した場合において、
前記特典内容決定部は、
前記同一の識別情報の認識時に認識された新たな購入情報に基づいて、特典情報の内容を新たに決定し、
前記管理部は、
当該識別情報に関連付けられている特典情報を、前記新たな決定に係る特典情報に更新する、
ことを特徴とする請求項１乃至５のいずれか一項に記載のゲームシステム。
【請求項７】
前記特典付与部によって付与された前記特典としての状態が継続している場合であって、
前記確認用識別情報が前記端末側受付部において入力されない状態となった場合において、
当該特典付与部は、当該前記特典としての状態を無効化する、
ことを特徴とする請求項１乃至６のいずれか一項に記載のゲームシステム。
【請求項８】
確認用識別情報の入力を受付ける端末側受付部と、当該確認用識別情報に対応する特典を付与する特典付与部と、を具備するゲーム装置の複数と通信可能な管理装置であって、
当該管理装置は、
メダルの購入者を特定する識別情報と、購入されたメダルの数及び購入金額の情報の少なくとも一方を含む購入情報とを認識する認識部と、
前記購入情報が表す値の大きさにより区分された複数のランクと前記複数のゲーム装置が提供する複数の種類のゲームとの組合せ毎に前記ゲーム装置が提供するゲームの内容に関連する特典を記憶する記憶部を参照することで、前記記憶部が記憶する複数の特典から、前記認識部が認識した購入情報に対応するランクに属する複数の特典を特定し、特定した複数の特典と、前記複数のゲームの種類の各々を識別するゲーム識別情報とを１対１に対応付けた特典情報を決定する特典内容決定部と、
前記識別情報と前記特典情報とを関連付けて有効な特典付与対象データとして管理記憶部に記憶させる管理部と、
を具備し、
前記管理部は、
前記確認用識別情報に対応する特典を示す情報として、
当該確認用識別情報に一致する識別情報に対応する特典情報を、
前記ゲーム装置に通知する、
ことを特徴とする管理装置。
【請求項９】
メダルの購入者を特定する識別情報と購入されたメダルの数及び購入金額の情報の少なくとも一方を含む購入情報とを認識する認識部と、
前記購入情報が表す値の大きさにより区分された複数のランクと複数の種類のゲームとの組合せ毎に前記ゲームの内容に関連する特典を記憶する記憶部を参照することで、前記記憶部が記憶する複数の特典から、前記認識部が認識した購入情報に対応するランクに属する複数の特典を特定し、特定した複数の特典と、前記複数の種類のゲームの各々を識別するゲーム識別情報とを１対１に対応付けた特典情報を決定する特典内容決定部と、
前記識別情報と前記特典情報とを関連付けて有効な特典付与対象データとして管理記憶部に記憶させる管理部と、
を具備する管理装置と通信可能であるとともに、
前記複数の種類のゲームのうち少なくとも１の種類のゲームを提供可能なゲーム装置であって、
当該ゲーム装置は、
確認用識別情報の入力を受付ける端末側受付部と、
前記確認用識別情報に一致する識別情報に対応する特典情報を、前記管理装置から取得する特典情報取得部と、
前記特典情報取得部によって取得された特典情報に含まれる複数の特典のから、当該ゲーム装置が提供するゲームの種類を表すゲーム識別情報に対応する特典を特定し、当該特定した特典を付与する特典付与部と
を具備する
ことを特徴とするゲーム装置。
【手続補正２】
【補正対象書類名】明細書
【補正対象項目名】０００７
【補正方法】変更
【補正の内容】
【０００７】
本発明の第１の観点に係るゲームシステムは、上述した課題を解決するため、管理装置と複数のゲーム装置とを含むゲームシステムであって、前記管理装置は、メダルの購入者を特定する識別情報と、購入されたメダルの数及び購入金額の情報の少なくとも一方を含む購入情報とを認識する認識部と、前記購入情報が表す値の大きさにより区分された複数のランクと、前記複数のゲーム装置が提供する複数の種類のゲームとの組合せ毎に、前記ゲーム装置が提供するゲームの内容に関連する特典を記憶する記憶部と、前記記憶部が記憶する複数の特典から、前記認識部が認識した購入情報に対応するランクに属する複数の特典を特定し、特定した複数の特典と、前記複数のゲームの種類の各々を識別するゲーム識別情報とを１対１に対応付けた特典情報を決定する特典内容決定部と、前記識別情報と前記特典情報とを関連付けて有効な特典付与対象データとして管理記憶部に記憶させる管理部と、を具備し、前記ゲーム装置は、確認用識別情報の入力を受付ける端末側受付部と、前記確認用識別情報に一致する識別情報に対応する特典情報を、前記管理装置から取得する特典情報取得部と、前記特典情報取得部によって取得された特典情報に含まれる複数の特典から、当該ゲーム装置が提供するゲームの種類を表すゲーム識別情報に対応する特典を特定し、当該特定した特典を付与する特典付与部とを具備する。
【手続補正３】
【補正対象書類名】明細書
【補正対象項目名】０００８
【補正方法】変更
【補正の内容】
【０００８】
本発明によれば、ユーザに、特典情報に応じた特典が付与される。ここで特典情報は、購入情報に基づいて定められることから、ユーザが特典の付与を受けたいと思えば、予め、メダルを購入しておく必要がある。つまり、本発明によれば、特典の付与を誘引要因として、メダルの購入をユーザに促すことになる。また、特典は、ゲーム装置に具備される特典付与部によって付与されるようになっているから、好適な一例として、当該特典の内容は、例えばゲームをプレイすることによって初めて実質的にユーザが獲得可能であるようなものであって、ゲームの内容と関連づけて付与されるようなものであるとよい。これによれば、ユーザは、単にメダルの購入を促されるというだけでなく、付与された特典を実質的に獲得することを目的として、購入したメダルをゲームのプレイのためにより多く消費する動機付けを与えられることになる。
以上により、本発明によれば、ゲームシステムの売上向上効果が実効的に奏される。
また、本発明によれば、ゲーム装置ごとに適切な特典を決定することができる。また、このことは、例えばユーザがメダルを購入して特典を享受する資格は得ているものの、どのゲーム装置で遊ぶかは、ゲームシステム側で判断できないので、とりあえず、付与すべき特典の内容をゲーム装置ごとに決定しておくことを意味する。このような処理を行うようにしておけば、付与すべき特典の決定をより的確に行うことができる。また、ゲーム装置ごとに付与すべき特典の内容が予め定まっているのであれば、当該内容をユーザに予め提示することなども可能になるから、ユーザにそれぞれ異なる特典を付与するゲーム装置の選択の機会を与えることが可能となり、ユーザのメダル購入意欲を更に実効的に刺激することも可能である。
【手続補正４】
【補正対象書類名】明細書
【補正対象項目名】０００９
【補正方法】変更
【補正の内容】
【０００９】
なお、本発明において、「端末側受付部」は、確認用識別情報を取得する総ての手段を包含する。例えば、確認用識別情報を電気的又は磁気的に記録する記録媒体から確認用識別情報を読取る読取器や、読取面に印刷された確認用識別情報を光学的に読取る読取器、利用者が操作して確認用識別情報を入力する入力機器、利用者の人相、声紋、指紋、虹彩、静脈パターン等の生体情報を読取る読取器が、「端末側受付部」の概念に包含される。
また、本発明を規定する各要素・各用語については、後の実施形態において、一具体例に即して、より詳細に説明される。特に、「特典」や「購入」の意義等については、後の実施形態中の説明を参照されたい。
また、本発明の第１の観点に係るゲームシステムは、管理装置と複数のゲーム装置とを含むゲームシステムであって、前記管理装置は、メダルの購入者を特定する識別情報と、購入されたメダルの数及び購入金額の情報の少なくとも一方を含む購入情報とを認識する認識部と、前記購入情報が表す値の大きさにより区分された複数のランクと、前記複数のゲーム装置との組合せ毎に、前記ゲーム装置が提供するゲームの内容に関連する特典を記憶する記憶部と、前記記憶部が記憶する複数の特典から、前記認識部が認識した購入情報に対応するランクに属する複数の特典を特定し、特定した複数の特典と、前記複数のゲーム装置の各々を識別する装置識別情報とを１対１に対応付けた特典情報を決定する特典内容決定部と、前記識別情報と前記特典情報とを関連付けて有効な特典付与対象データとして管理記憶部に記憶させる管理部と、を具備し、前記ゲーム装置は、確認用識別情報の入力を受付ける端末側受付部と、前記確認用識別情報に一致する識別情報に対応する特典情報を、前記管理装置から取得する特典情報取得部と、前記特典情報取得部によって取得された特典情報に含まれる複数の特典から、当該ゲーム装置を表す装置識別情報に対応する特典を特定し、当該特定した特典を付与する特典付与部とを具備する、ことを特徴としてもよい。
また、本発明の第１の観点に係るゲームシステムは、管理装置と複数のゲーム装置とを含むゲームシステムであって、前記管理装置は、メダルの購入者を特定する識別情報と、購入されたメダルの数及び購入金額の情報の少なくとも一方を含む購入情報とを認識する認識部と、前記複数のゲーム装置が提供する複数の種類のゲームの各々の内容に関連する特典を前記複数の種類のゲームの各々について定める特典情報を、前記購入情報に基づいて決定する特典内容決定部と、前記識別情報と前記特典情報とを関連付けて有効な特典付与対象データとして管理記憶部に記憶させる管理部と、を具備し、前記ゲーム装置は、確認用識別情報の入力を受付ける端末側受付部と、前記確認用識別情報に一致する識別情報に対応する特典情報を、前記管理装置から取得する特典情報取得部と、前記特典情報取得部によって取得された特典情報が示す複数の特典のうち当該ゲーム装置が提供するゲームの種類に対応する特典を付与する特典付与部とを具備する、ことを特徴としてもよい。
また、本発明の第１の観点に係るゲームシステムは、管理装置と複数のゲーム装置とを含むゲームシステムであって、前記管理装置は、メダルの購入者を特定する識別情報と、購入されたメダルの数及び購入金額の情報の少なくとも一方を含む購入情報とを認識する認識部と、前記ゲーム装置が提供するゲームの内容に関連する特典を前記複数のゲーム装置の各々について定める特典情報を、前記購入情報に基づいて決定する特典内容決定部と、前記識別情報と前記特典情報とを関連付けて有効な特典付与対象データとして管理記憶部に記憶させる管理部と、を具備し、前記ゲーム装置は、確認用識別情報の入力を受付ける端末側受付部と、前記確認用識別情報に一致する識別情報に対応する特典情報を、前記管理装置から取得する特典情報取得部と、前記特典情報取得部によって取得された特典情報が示す複数の特典のうち当該ゲーム装置に対応する特典を付与する特典付与部とを具備する、ことを特徴としてもよい。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
また、本発明の管理装置は、上述した課題を解決するため、確認用識別情報の入力を受付ける端末側受付部と、当該確認用識別情報に対応する特典を付与する特典付与部と、を具備するゲーム装置の複数と通信可能な管理装置であって、当該管理装置は、メダルの購入者を特定する識別情報と、購入されたメダルの数及び購入金額の情報の少なくとも一方を含む購入情報とを認識する認識部と、前記購入情報が表す値の大きさにより区分された複数のランクと前記複数のゲーム装置が提供する複数の種類のゲームとの組合せ毎に前記ゲーム装置が提供するゲームの内容に関連する特典を記憶する記憶部を参照することで、前記記憶部が記憶する複数の特典から、前記認識部が認識した購入情報に対応するランクに属する複数の特典を特定し、特定した複数の特典と、前記複数のゲームの種類の各々を識別するゲーム識別情報とを１対１に対応付けた特典情報を決定する特典内容決定部と、前記識別情報と前記特典情報とを関連付けて有効な特典付与対象データとして管理記憶部に記憶させる管理部と、を具備し、前記管理部は、前記確認用識別情報に対応する特典を示す情報として、当該確認用識別情報に一致する識別情報に対応する特典情報を、前記ゲーム装置に通知する。
【手続補正７】
【補正対象書類名】明細書
【補正対象項目名】００２１
【補正方法】変更
【補正の内容】
【００２１】
また、本発明のゲーム装置は、上述した課題を解決するため、メダルの購入者を特定する識別情報と購入されたメダルの数及び購入金額の情報の少なくとも一方を含む購入情報とを認識する認識部と、前記購入情報が表す値の大きさにより区分された複数のランクと複数の種類のゲームとの組合せ毎に前記ゲームの内容に関連する特典を記憶する記憶部を参照することで、前記記憶部が記憶する複数の特典から、前記認識部が認識した購入情報に対応するランクに属する複数の特典を特定し、特定した複数の特典と、前記複数の種類のゲームの各々を識別するゲーム識別情報とを１対１に対応付けた特典情報を決定する特典内容決定部と、前記識別情報と前記特典情報とを関連付けて有効な特典付与対象データとして管理記憶部に記憶させる管理部と、を具備する管理装置と通信可能であるとともに、前記複数の種類のゲームのうち少なくとも１の種類のゲームを提供可能なゲーム装置であって、当該ゲーム装置は、確認用識別情報の入力を受付ける端末側受付部と、前記確認用識別情報に一致する識別情報に対応する特典情報を、前記管理装置から取得する特典情報取得部と、前記特典情報取得部によって取得された特典情報に含まれる複数の特典のから、当該ゲーム装置が提供するゲームの種類を表すゲーム識別情報に対応する特典を特定し、当該特定した特典を付与する特典付与部と、を具備する。
【手続補正８】
【補正対象書類名】明細書
【補正対象項目名】００２２
【補正方法】変更
【補正の内容】
【００２２】
本発明は、上述した本発明の第１の観点に係るゲームシステムを、当該ゲームシステムを構成するゲーム装置を中心とした視点から捉えた発明である。したがって、本発明によっても、当該の発明に係る効果、即ち売上向上効果を享受することが可能である。